(57)【特許請求の範囲】
【請求項１】
無線アクセスネットワークノードであって、
コアネットワークから送信されるマルチキャストデータ又はブロードキャストデータを受信する第１通信処理部と、
前記マルチキャストデータ又は前記ブロードキャストデータを無線ローカルエリアネットワーク経由で端末装置に送信する第２通信処理部と、
前記マルチキャストデータ又は前記ブロードキャストデータの送信に関する制御情報を、前記端末装置に送信する第３通信処理部と、を備える無線アクセスネットワークノード。
【請求項２】
無線アクセスネットワークノードであって、
コアネットワークから送信されるマルチキャストデータ又はブロードキャストデータを受信する第１通信処理部と、
前記マルチキャストデータ又は前記ブロードキャストデータを無線ローカルエリアネットワーク経由で端末装置に送信する第２通信処理部と、
前記無線ローカルエリアネットワークを前記マルチキャストデータ又は前記ブロードキャストデータの送信エリアに登録するための登録用情報を取得する情報取得部と、を備え、
前記第１通信処理部は前記登録用情報を制御エンティティに送信する無線アクセスネットワークノード。
【請求項３】
前記登録用情報は、前記無線ローカルエリアネットワークの識別子を含む、請求項２記載の無線アクセスネットワークノード。
【請求項４】
前記無線アクセスネットワークノードは、基地局であり、
前記登録用情報は、前記基地局に前記無線ローカルエリアネットワークが接続されていることを示す情報を含む、請求項２記載の無線アクセスネットワークノード。
【請求項５】
制御エンティティであって、
無線ローカルエリアネットワークをマルチキャストデータ又はブロードキャストデータの送信エリアに登録するための登録用情報を、基地局から受信する第１通信処理部と、
前記登録用情報をコアネットワークノードに送信する第２通信処理部と、
を備える制御エンティティ。
【請求項６】
コアネットワークノードであって、
無線ローカルエリアネットワークをマルチキャストデータ又はブロードキャストデータの送信エリアに登録するための登録用情報を受信する第１通信処理部と、
前記登録用情報に基づいて前記無線ローカルエリアネットワークを前記マルチキャストデータ又は前記ブロードキャストデータの前記送信エリアに登録する登録処理部と、
を備えるコアネットワークノード。
【請求項７】
コアネットワークから送信されるマルチキャストデータ又はブロードキャストデータを受信することと、
前記マルチキャストデータ又は前記ブロードキャストデータを無線ローカルエリアネットワーク経由で端末装置に送信することと、
前記マルチキャストデータ又は前記ブロードキャストデータの送信に関する制御情報を、前記端末装置に送信することと、を含む方法。
【請求項８】
コアネットワークから送信されるマルチキャストデータ又はブロードキャストデータを受信することと、
前記マルチキャストデータ又は前記ブロードキャストデータを無線ローカルエリアネットワーク経由で端末装置に送信することと、
前記無線ローカルエリアネットワークを前記マルチキャストデータ又は前記ブロードキャストデータの送信エリアに登録するための登録用情報を取得することと、
前記登録用情報を制御エンティティに送信することと、を含む方法。
【請求項９】
コアネットワークから送信されるマルチキャストデータ又はブロードキャストデータを受信することと、
前記マルチキャストデータ又は前記ブロードキャストデータを無線ローカルエリアネットワーク経由で端末装置に送信することと、
前記マルチキャストデータ又は前記ブロードキャストデータの送信に関する制御情報を、前記端末装置に送信することと、
をプロセッサに実行させるためのプログラム。
【請求項１０】
コアネットワークから送信されるマルチキャストデータ又はブロードキャストデータを受信することと、
前記マルチキャストデータ又は前記ブロードキャストデータを無線ローカルエリアネットワーク経由で端末装置に送信することと、
前記無線ローカルエリアネットワークを前記マルチキャストデータ又は前記ブロードキャストデータの送信エリアに登録するための登録用情報を取得することと、
前記登録用情報を制御エンティティに送信することと、
をプロセッサに実行させるためのプログラム。
【発明の詳細な説明】
【技術分野】
【０００１】
本発明は、無線アクセスネットワーク経由でのデータの送受信に関連する無線アクセスネットワークノード、端末装置、制御エンティティ、コアネットワークノード、方法、プログラム、及び記録媒体に関する。
【背景技術】
【０００２】
３ＧＰＰ（Third  Generation  Partnership  Project）では、ＥＴＷＳ（Earthquake and Tsunami Warning System）、ＭＢＭＳ（Multimedia Broadcast Multicast Services）、ｅＭＢＭＳ（evolved Multimedia Broadcast Multicast Service）などのマルチキャストデータ又はブロードキャストデータを利用したサービスの検討が進められている（例えば、特許文献１、及び非特許文献１、２を参照。）。【０００３】
また、特許文献２には、通信デバイスが、第１の通信経路を介して基地局と通信し、第２の通信経路を介してアクセスノードと通信することができる通信システムにおいて、通信デバイスの通信経路を第１の通信経路と第２の通信経路との間で変更する際に、言い換えれば、基地局とアクセスノードとの間でハンドオーバーを行う際に、基地局とアクセスノードとの間でデータ転送を行う技術が記載されている。
【先行技術文献】
【特許文献】
【０００４】
【特許文献１】特開２００８−１０９３１９号公報
【特許文献２】特表２０１６−５２５２８９号公報
【非特許文献】
【０００５】
【非特許文献１】3GPP TS 36.443 V13.3.0 (2016-03) “3rd Generation Partnership Project; Technical Specification Group Radio Access Network; Evolved Universal Terrestrial Radio Access Network (E-UTRAN); M2 Application Protocol (M2AP) (Release 13)”
【非特許文献２】3GPP TS 26.346 V14.0.0 (2016-09) “3rd Generation Partnership Project; Technical Specification Group Services and System Aspects; Multimedia Broadcast/Multicast Service (MBMS); Protocols and codecs (Release 14)”
【発明の概要】
【発明が解決しようとする課題】
【０００６】
上述した特許文献１及び非特許文献１、２などに記載されているように、３ＧＰＰでは、コアネットワークからのマルチキャストデータ又はブロードキャストデータは、ｅＮＢ（evolved Node B）からＵｕインタフェースを用いて端末装置に直接送信することを想定している。しかしながら、より柔軟に、コアネットワークからのマルチキャストデータ又はブロードキャストデータを端末装置に送信することが望まれる。【０００７】
また、特許文献２では、ハンドオーバーに関する技術が開示されているのみで、コアネットワークからのマルチキャストデータ又はブロードキャストデータを端末装置に送信することについて何ら考慮されていなかった。【０００８】
本発明の目的は、より柔軟に、コアネットワークからのマルチキャストデータ又はブロードキャストデータを端末装置に送信することを可能にすることにある。
【課題を解決するための手段】
【０００９】
本発明の第１の無線アクセスネットワークノードは、コアネットワークから送信されるマルチキャストデータ又はブロードキャストデータを受信する第１通信処理部と、マルチキャストデータ又はブロードキャストデータを無線ローカルエリアネットワーク経由で端末装置に送信する第２通信処理部と、を備える。【００１０】
本発明の端末装置は、コアネットワークから送信されるマルチキャストデータ又はブロードキャストデータを無線ローカルエリアネットワーク経由で受信する通信処理部と、マルチキャストデータ又はブロードキャストデータについての処理を実行するデータ処理部と、を備える。【００１１】
本発明の制御エンティティは、無線ローカルエリアネットワークをマルチキャストデータ又はブロードキャストデータの送信エリアに登録するための登録用情報を、基地局から受信する第１通信処理部と、登録用情報をコアネットワークノードに送信する第２通信処理部と、を備える。【００１２】
本発明のコアネットワークノードは、無線ローカルエリアネットワークをマルチキャストデータ又はブロードキャストデータの送信エリアに登録するための登録用情報を受信する第１通信処理部と、登録用情報に基づいて無線ローカルエリアネットワークをマルチキャストデータ又はブロードキャストデータの送信エリアに登録する登録処理部と、を備える。【００１３】
本発明の第１の方法は、コアネットワークから送信されるマルチキャストデータ又はブロードキャストデータを受信することと、前記マルチキャストデータ又は前記ブロードキャストデータを無線ローカルエリアネットワーク経由で端末装置に送信することと、を含む。【００１４】
本発明の第１のプログラムは、コアネットワークから送信されるマルチキャストデータ又はブロードキャストデータを受信することと、前記マルチキャストデータ又は前記ブロードキャストデータを無線ローカルエリアネットワーク経由で端末装置に送信することと、をプロセッサに実行させるためのプログラムである。【００１５】
本発明の第１の記録媒体は、コアネットワークから送信されるマルチキャストデータ又はブロードキャストデータを受信することと、前記マルチキャストデータ又は前記ブロードキャストデータを無線ローカルエリアネットワーク経由で端末装置に送信することと、をプロセッサに実行させるためのプログラムを記録したコンピュータに読み取り可能な非一時的記録媒体である。【００１６】
本発明の第２の方法は、コアネットワークから送信されるマルチキャストデータ又はブロードキャストデータを無線ローカルエリアネットワーク経由で受信することと、前記マルチキャストデータ又は前記ブロードキャストデータについての処理を実行することと、を含む。【００１７】
本発明の第２のプログラムは、コアネットワークから送信されるマルチキャストデータ又はブロードキャストデータを無線ローカルエリアネットワーク経由で受信することと、前記マルチキャストデータ又は前記ブロードキャストデータについての処理を実行することと、をプロセッサに実行させるためのプログラムである。【００１８】
本発明の第２の記録媒体は、コアネットワークから送信されるマルチキャストデータ又はブロードキャストデータを無線ローカルエリアネットワーク経由で受信することと、前記マルチキャストデータ又は前記ブロードキャストデータについての処理を実行することと、をプロセッサに実行させるためのプログラムを記録したコンピュータに読み取り可能な非一時的記録媒体である。【００１９】
本発明の第３の方法は、無線ローカルエリアネットワークをマルチキャストデータ又はブロードキャストデータの送信エリアに登録するための登録用情報を、基地局から受信することと、前記登録用情報をコアネットワークノードに送信することと、を含む方法である。【００２０】
本発明の第３のプログラムは、無線ローカルエリアネットワークをマルチキャストデータ又はブロードキャストデータの送信エリアに登録するための登録用情報を、基地局から受信することと、前記登録用情報をコアネットワークノードに送信することと、をプロセッサに実行させるためのプログラムである。【００２１】
本発明の第３の記録媒体は、無線ローカルエリアネットワークをマルチキャストデータ又はブロードキャストデータの送信エリアに登録するための登録用情報を、基地局から受信することと、前記登録用情報をコアネットワークノードに送信することと、をプロセッサに実行させるためのプログラムをコンピュータに読み取り可能な非一時的記録媒体である。【００２２】
本発明の第４の方法は、無線ローカルエリアネットワークをマルチキャストデータ又はブロードキャストデータの送信エリアに登録するための登録用情報を受信することと、前記登録用情報に基づいて、前記無線ローカルエリアネットワークを、マルチキャストデータ又はブロードキャストデータの送信エリアに登録することと、を含む。【００２３】
本発明の第４のプログラムは、無線ローカルエリアネットワークをマルチキャストデータ又はブロードキャストデータの送信エリアに登録するための登録用情報を受信することと、前記登録用情報に基づいて、前記無線ローカルエリアネットワークを、マルチキャストデータ又はブロードキャストデータの送信エリアに登録することと、をプロセッサに実行させるためのプログラムである。【００２４】
本発明の第４の記録媒体は、無線ローカルエリアネットワークをマルチキャストデータ又はブロードキャストデータの送信エリアに登録するための登録用情報を受信することと、前記登録用情報に基づいて、前記無線ローカルエリアネットワークを、マルチキャストデータ又はブロードキャストデータの送信エリアに登録することと、をプロセッサに実行させるためのプログラムをコンピュータに読み取り可能な非一時的記録媒体である。【００２５】
本発明の第２の無線アクセスネットワークノードは、無線ローカルエリアネットワークをコアネットワークから送信されるマルチキャストデータ又はブロードキャストデータの送信エリアに登録するための登録用情報を取得する情報取得部と、前記登録用情報を制御エンティティに送信する通信処理部と、を備える。【００２６】
本発明の第５の方法は、無線ローカルエリアネットワークをコアネットワークから送信されるマルチキャストデータ又はブロードキャストデータの送信エリアに登録するための登録用情報を取得することと、前記登録用情報を制御エンティティに送信することと、を含む。【００２７】
本発明の第５のプログラムは、無線ローカルエリアネットワークをコアネットワークから送信されるマルチキャストデータ又はブロードキャストデータの送信エリアに登録するための登録用情報を取得することと、前記登録用情報を制御エンティティに送信することと、をプロセッサに実行させるためのプログラムである。【００２８】
本発明の第５の記録媒体は、無線ローカルエリアネットワークをコアネットワークから送信されるマルチキャストデータ又はブロードキャストデータの送信エリアに登録するための登録用情報を取得することと、前記登録用情報を制御エンティティに送信することと、をプロセッサに実行させるためのプログラムをコンピュータに読み取り可能な非一時的記録媒体である。
【発明の効果】
【００２９】
本発明によれば、コアネットワークからのマルチキャストデータ又はブロードキャストデータをより柔軟に端末装置に送信することが可能になる。なお、本発明により、当該効果の代わりに、又は当該効果とともに、他の効果が奏されてもよい。
【図面の簡単な説明】
【００３０】
【図１】３ＧＰＰで想定されているＭＢＭＳのネットワーク構成の例を説明するための説明図である。
【図２】本発明の実施形態に係るシステム１の概略的な構成の一例を示す説明図である。
【図３】第１の実施形態に係る基地局の概略的な構成の例を示すブロック図である。
【図４】第１の実施形態に係るゲートウェイの概略的な構成の例を示すブロック図である。
【図５】第１の実施形態に係る端末装置の概略的な構成の例を示すブロック図である。
【図６】第１の実施形態に係る制御エンティティの概略的な構成の例を示すブロック図である。
【図７】第１の実施形態に係る第１コアネットワークノードの概略的な構成の例を示すブロック図である。
【図８】第１の実施形態に係る処理の概略的な流れの例を説明するためのブロック図である。
【図９】第１の実施形態の変形例に係る処理の概略的な流れの例を説明するためのブロック図である。
【図１０】第２の実施形態に係る無線アクセスネットワークノードの概略的な構成の例を示すブロック図である。
【図１１】第２の実施形態に係る端末装置の概略的な構成の例を示すブロック図である。
【発明を実施するための形態】
【００３１】
以下、添付の図面を参照して本発明の実施形態を詳細に説明する。なお、本明細書及び図面において、同様に説明されることが可能な要素については、同一の符号を付することにより重複説明が省略され得る。
【００３２】
説明は、以下の順序で行われる。
１．関連技術
２．本発明の実施形態の概要
３．本発明の実施形態に係るシステムの構成
４．第１の実施形態
４．１．基地局の構成
４．２．ゲートウェイの構成
４．３．端末装置の構成
４．４．制御エンティティの構成
４．５．第１コアネットワークノードの構成
４．６．技術的特徴
４．７．変形例
４．８．まとめ
５．第２の実施形態
５．１．無線アクセスネットワークノードの構成
５．２．端末装置の構成
５．３．技術的特徴
６．他の形態
【００３３】
＜＜１．関連技術＞＞
図１を参照して、本実施形態に関連する技術として３ＧＰＰで想定されているＭＢＭＳを説明する。
【００３４】
現在、３ＧＰＰでは、マルチキャストデータを利用したデータ伝送方式として、ＭＢＭＳの検討が進められている。
【００３５】
図１は、３ＧＰＰで想定されているＭＢＭＳ（Multimedia Broadcast Multicast Service）のネットワーク構成の例を説明するための説明図である。図１を参照すると、ｅＮＢ（evolved Node B）１０、ＵＥ（User Equipment）４０、ＭＣＥ（Multicast Coordination Entity）５０、ＭＭＥ（Mobility Management Entity）６０、ＭＢＭＳ−ＧＷ（Serving Gateway）７０、ＢＭ−ＳＣ（Broadcast Multicast-Service Center）８０が示されている。
【００３６】
図１に示すネットワーク構成では、まず、ｅＮＢ１０のＩＤ、ｅＮＢ１０が収容するセル数などの情報が、ｅＮＢ１０からＭＣＥ５０を介してＭＭＥ６０に送信される。続いて、ＭＭＥ６０は、ｅＮＢ１０が収容するセルを、ＭＢＳＦＮ（Multicast broadcast single frequency network）エリアに登録する。さらに続いて、ＭＭＥ６０は、ＭＢＭＳ−ＧＷ（Serving Gateway）７０にアクセスしてＩＰマルチキャストアドレスを取得し、ＭＣＥ５０を介してｅＮＢ１０に送信する。このようにしてマルチキャストデータの送信範囲の加入（Join）処理が行われる。
【００３７】
ｅＮＢ１０が収容するセルが送信範囲に加入（Join）すると、ｅＮＢ１０は、ＭＣＥ５０から受信したＩＰマルチキャストアドレスに基づいて、ＭＢＭＳ−ＧＷ７０から送信されたマルチキャストデータを受信し、受信したマルチキャストデータをＵｕインタフェースによりＵＥ４０に送信する。
【００３８】
＜＜２．本発明の実施形態の概要＞＞
（１）技術的課題
図１に示したネットワーク構成では、ｅＮＢ１０からＵＥ４０にＵｕインタフェースを用いて直接送信することを想定しているのみである。そこで、より柔軟に、コアネットワークからのマルチキャストデータ又はブロードキャストデータをＵＥ４０に送信することが望まれる。
【００３９】
本発明の実施形態の目的は、コアネットワークからのマルチキャストデータ又はブロードキャストデータをより柔軟に端末装置に送信することを可能にすることである。
【００４０】
（２）技術的特徴
本発明の実施形態によれば、例えば、無線アクセスネットワークノード（ｅＮＢ）は、コアネットワーク（ＭＢＭＳ−ＧＷ）から送信されるマルチキャストデータ又はブロードキャストデータを受信し、マルチキャストデータ又はブロードキャストデータを無線ローカルエリアネットワーク経由で端末装置（ＵＥ）に送信する。
【００４１】
これにより、例えば、コアネットワークからのマルチキャストデータ又はブロードキャストデータをより柔軟に端末装置に送信することが可能になる。
【００４２】
なお、上述した技術的特徴は本発明の実施形態の具体的な一例であり、当然ながら、本実施形態は上述した技術的特徴に限定されない。
【００４３】
＜＜３．本発明の実施形態に係るシステムの構成＞＞
図２を参照して、本実施形態に係るシステム１の構成の例を説明する。図２は、本発明の実施形態に係るシステム１の概略的な構成の一例を示す説明図である。図２を参照すると、システム１は、基地局１００、ゲートウェイ２００、ＷＬＡＮ−ＡＰ３００、端末装置４００、制御エンティティ５００、第１コアネットワークノード６００、第２コアネットワークノード７００、及び第３コアネットワークノード８００を含む。
【００４４】
例えば、システム１は、３ＧＰＰの規格（standard）に準拠したシステムである。より具体的には、システム１は、ＬＴＥ／ＬＴＥ−Ａｄｖａｎｃｅｄ及び／又はＳＡＥ（System Architecture Evolution）に準拠したシステムであってもよい。あるいは、システム１は、第５世代（５Ｇ）の規格に準拠したシステム、又は第３世代（３Ｇ）の規格に準拠したＵＭＴＳ（Universal Mobile Telecommunications System）であってもよい。当然ながら、システム１は、これらの例に限定されない。
【００４５】
（１）基地局１００
基地局１００は、端末装置との無線通信を行うノードであり、換言すると無線アクセスネットワーク（Radio Access Network：ＲＡＮ）のノードである。例えば、基地局１００は、ｅＮＢであってもよく、５ＧにおけるｇＮＢ（generation Node B）であってもよく、３ＧにおけるＮｏｄｅ  Ｂ及び／又はＲＮＣ（Radio Network Controller）であってもよい。基地局１００は、複数のユニット（又は複数のノード）を含んでもよい。当該複数のユニット（又は複数のノード）は、上位のプロトコルレイヤの処理を行う第１ユニット（又は第１ノード）と、下位のプロトコルレイヤの処理を行う第２ユニット（又は第２ノード）とを含んでもよい。一例として、上記第１ユニットは、中央ユニット（Center/Central Unit：ＣＵ）と呼ばれてもよく、上記第２のユニットは、分散ユニット（Distributed Unit：ＤＵ）又はアクセスユニット（Access Unit：ＡＵ）と呼ばれてもよい。別の例として、上記第１ユニットは、デジタルユニット（Digital Unit：ＤＵ）と呼ばれてもよく、上記第２ユニットは、無線ユニット（Radio Unit：ＲＵ）又はリモートユニット（Remote Unit：ＲＵ）と呼ばれてもよい。上記ＤＵ（Digital Unit）は、ＢＢＵ（Base Band Unit）であってもよく、上記ＲＵは、ＲＲＨ（Remote Radio Head）又はＲＲＵ（Remote Radio Unit）であってもよい。当然ながら、上記第１ユニット（又は第１のノード）及び上記第２ユニット（又は第２のノード）の呼称は、この例に限定されない。あるいは、基地局１００は、単一のユニット（又は単一のノード）であってもよい。この場合に、基地局１００は、上記複数のユニットのうちの１つ（例えば、上記第１ユニット及び上記第２ユニットの一方）であってもよく、上記複数のユニットのうちの他のユニット（例えば、上記第１ユニット及び上記第２ユニットの他方）と接続されていてもよい。
【００４６】
とりわけ、本実施形態では、基地局１００は、無線で（例えばＵｕインタフェースにおいて）端末装置４００とデータを送受信することができるとともに、ゲートウェイ２００及びＷＬＡＮ−ＡＰ３００経由で端末装置４００とデータを送受信することができる。具体的には、例えば、基地局１００は、ＬＷＩＰ(LTE/WLAN Radio Level Integration with IPsec Tunnel)及び／又はＬＷＡ（LTE-WLAN Aggregation）の動作を行うことができる。
【００４７】
（２）ゲートウェイ２００
ゲートウェイ２００は、ＷＬＡＮ経由での通信に用いられるゲートウェイであり、基地局１００とＷＬＡＮ−ＡＰ３００及び端末装置４００との間に位置する。
【００４８】
例えば、ゲートウェイ２００は、ＷＬＡＮ経由での通信のセキュリティを確保するためのセキュリティゲートウェイである。例えば、ゲートウェイ２００は、ＷＬＡＮ経由での通信のためにセキュリティトンネル（例えば、ＩＰｓｅｃトンネル）を提供する。より具体的には、例えば、ゲートウェイ２００は、ＬＷＩＰ−ＳｅＧＷである。なお、ゲートウェイ２００は、必ずしもＬＷＩＰ−ＳｅＧＷのようなセキュリティゲートウェイに限定されず、例えばＬＷＡのＷＴ（WLAN Termination）であってもよい。
【００４９】
（３）ＷＬＡＮ−ＡＰ３００
ＷＬＡＮ−ＡＰ３００は、ＷＬＡＮのアクセスポイントであり、ＩＥＥＥ  ８０２.１１シリーズ（ＩＥＥＥ  ８０２.１１ｂ／１１ａ／１１ｇ／１１ｎ／１１ａｃ等）のうちの１つ以上に従って端末装置（例えば端末装置４００）との無線通信を行う。
【００５０】
（４）端末装置４００
端末装置４００は、基地局との無線通信を行う。例えば、端末装置４００は、基地局１００のカバレッジエリア内に位置する場合に、基地局１００との無線通信を行う。例えば、端末装置４００は、ＵＥである。
【００５１】
とりわけ、本実施形態では、端末装置４００は、無線で（例えばＵｕインタフェースにおいて）基地局１００とデータを送受信することができるとともに、ＷＬＡＮ−ＡＰ３００及びゲートウェイ２００経由で基地局１００とデータを送受信することができる。具体的には、例えば、端末装置４００は、ＬＷＩＰ及び／又はＬＷＡの動作を行うことができる。
【００５２】
（５）制御エンティティ５００
制御エンティティ５００は、無線アクセスネットワーク（Radio Access Network：ＲＡＮ）のノードであり、基地局１００と第１コアネットワークノード６００との間に位置する。
【００５３】
具体的に、制御エンティティ５００は、Ｃ−ｐｌａｎｅの処理を担うノードであり、基地局１００へ制御メッセージを送信し、基地局１００から制御メッセージを受信する。また、制御エンティティ５００は、第１コアネットワークノード６００へ制御メッセージを送信し、第１コアネットワークノード６００から制御メッセージを受信する。例えば、制御エンティティ５００はＭＣＥである。
【００５４】
（６）第１コアネットワークノード６００
第１コアネットワークノード６００は、Ｃ−ｐｌａｎｅの処理を担うコアネットワークノードである。例えば、第１コアネットワークノード６００は、制御エンティティ５００へ制御メッセージを送信し、制御エンティティ５００から制御メッセージを受信する。また、第１コアネットワークノード６００は、第２コアネットワークノード７００へ制御メッセージを送信し、第２コアネットワークノード７００から制御メッセージを受信する。例えば、第１コアネットワークノード６００はＭＭＥである。
【００５５】
（７）第２コアネットワークノード７００
第２コアネットワークノード７００は、マルチキャスト又はブロードキャストのためのゲートウェイである。例えば、第２コアネットワークノード７００は、第１コアネットワークノード６００へ制御メッセージを送信し、第１コアネットワークノード６００から制御メッセージを受信する。また、第２コアネットワークノード７００は、データパケット（データを含むパケット）を基地局１００又はゲートウェイ２００へ送信する。例えば、第２コアネットワークノード７００は、ＭＢＭＳ−ＧＷである。
【００５６】
（８）第３コアネットワークノード８００
第３コアネットワークノード８００は、マルチキャスト又はブロードキャストの管理を行うゲートウェイである。例えば、第３コアネットワークノード８００は、第２コアネットワークノード７００へ制御メッセージを送信し、第２コアネットワークノード７００から制御メッセージを受信する。また、第３コアネットワークノード８００は、データパケット（データを含むパケット）を第２コアネットワークノード７００へ送信する。例えば、第３コアネットワークノード８００は、ＢＭ−ＳＣである。
【００５７】
＜＜４．第１の実施形態＞＞
続いて、図３〜図９を参照して、本発明の第１の実施形態を説明する。
【００５８】
＜４．１．基地局の構成＞
まず、図３を参照して、第１の実施形態に係る基地局１００の構成の例を説明する。図３は、第１の実施形態に係る基地局１００の概略的な構成の例を示すブロック図である。図３を参照すると、基地局１００は、無線通信部１１０、ネットワーク通信部１２０、記憶部１３０及び処理部１４０を備える。
【００５９】
（１）無線通信部１１０
無線通信部１１０は、信号を無線で送受信する。例えば、無線通信部１１０は、端末装置からの信号を受信し、端末装置への信号を送信する。
【００６０】
（２）ネットワーク通信部１２０
ネットワーク通信部１２０は、ネットワークから信号を受信し、ネットワークへ信号を送信する。
【００６１】
（３）記憶部１３０
記憶部１３０は、基地局１００の動作のためのプログラム及びパラメータ、並びに様々なデータを、一時的に又は恒久的に記憶する。
【００６２】
（４）処理部１４０
処理部１４０は、基地局１００の様々な機能を提供する。処理部１４０は、情報取得部１４１、第１通信処理部１４３、第２通信処理部１４５、及び第３通信処理部１４７を含む。なお、処理部１４０は、これらの構成要素以外の他の構成要素をさらに含み得る。すなわち、処理部１４０は、これらの構成要素の動作以外の動作も行い得る。情報取得部１４１、第１通信処理部１４３、第２通信処理部１４５、及び第３通信処理部１４７の具体的な動作は、後に詳細に説明する。
【００６３】
例えば、処理部１４０（第１通信処理部１４３）は、ネットワーク通信部１２０を介して、制御エンティティ５００又は第２コアネットワークノード７００と通信する。例えば、処理部１４０（第２通信処理部１４５）は、ネットワーク通信部１２０を介してゲートウェイ２００と通信する。例えば、処理部１４０（第３通信処理部１４７）は、無線通信部１１０を介して端末装置（例えば、端末装置４００）と通信する。
【００６４】
（５）実装例
無線通信部１１０は、アンテナ及び高周波（Radio Frequency：ＲＦ）回路等により実装されてもよい。ネットワーク通信部１２０は、ネットワークアダプタ又はネットワークインタフェースカード等により実装されてもよい。記憶部１３０は、メモリ（例えば、不揮発性メモリ及び／若しくは揮発性メモリ）並びに／又はハードディスク等により実装されてもよい。処理部１４０は、ベースバンド（Baseband：ＢＢ）プロセッサ及び／又は他のプロセッサ等により実装されてもよい。情報取得部１４１、第１通信処理部１４３、第２通信処理部１４５及び第３通信処理部１４７は、同一のプロセッサにより実装されてもよく、別々に異なるプロセッサにより実装されてもよい。上記メモリ（記憶部１３０）は、このようなプロセッサ（チップ）内に含まれてもよい。
【００６５】
基地局１００は、プログラムを記憶するメモリと、当該プログラムを実行可能な１つ以上のプロセッサとを含んでもよく、当該１つ以上のプロセッサは、処理部１４０の動作（情報取得部１４１、第１通信処理部１４３、第２通信処理部１４５及び第３通信処理部１４７）を行ってもよい。上記プログラムは、処理部１４０の動作（情報取得部１４１、第１通信処理部１４３、第２通信処理部１４５及び第３通信処理部１４７の動作）をプロセッサに実行させるためのプログラムであってもよい。
【００６６】
＜４．２．ゲートウェイの構成＞
次に、図４を参照して、第１の実施形態に係るゲートウェイ２００の構成の例を説明する。図４は、第１の実施形態に係るゲートウェイ２００の概略的な構成の例を示すブロック図である。図４を参照すると、ゲートウェイ２００は、ネットワーク通信部２１０、記憶部２２０及び処理部２３０を備える。
【００６７】
（１）ネットワーク通信部２１０
ネットワーク通信部２１０は、ネットワークから信号を受信し、ネットワークへ信号を送信する。
【００６８】
（２）記憶部２２０
記憶部２２０は、ゲートウェイ２００の動作のためのプログラム及びパラメータ、並びに様々なデータを、一時的に又は恒久的に記憶する。
【００６９】
（３）処理部２３０
処理部２３０は、ゲートウェイ２００の様々な機能を提供する。処理部２３０は、第１通信処理部２３１及び第２通信処理部２３３を含む。なお、処理部２３０は、これらの構成要素以外の他の構成要素をさらに含み得る。すなわち、処理部２３０は、これらの構成要素の動作以外の動作も行い得る。第１通信処理部２３１及び第２通信処理部２３３の具体的な動作は、後に詳細に説明する。
【００７０】
例えば、処理部２３０は、ネットワーク通信部２１０を介して他のノードと通信する。具体的には、例えば、処理部２３０（第１通信処理部２３１）は、ネットワーク通信部２１０を介して基地局１００又は第２コアネットワークノード７００と通信する。また、例えば、処理部２３０（第２通信処理部２３３）は、ネットワーク通信部２１０を介して、ＷＬＡＮ（ＷＬＡＮ−ＡＰ３００）経由で端末装置４００と通信する。
【００７１】
（４）実装例
ネットワーク通信部２１０は、ネットワークアダプタ又はネットワークインタフェースカード等により実装されてもよい。記憶部２２０は、メモリ（例えば、不揮発性メモリ及び／若しくは揮発性メモリ）並びに／又はハードディスク等により実装されてもよい。処理部２３０は、プロセッサ等により実装されてもよい。第１通信処理部２３１及び第２通信処理部２３３は、同一のプロセッサにより実装されてもよく、別々に異なるプロセッサにより実装されてもよい。上記メモリ（記憶部２２０）は、このようなプロセッサ（チップ）内に含まれてもよい。
【００７２】
ゲートウェイ２００は、プログラムを記憶するメモリと、当該プログラムを実行可能な１つ以上のプロセッサとを含んでもよく、当該１つ以上のプロセッサは、処理部２３０の動作（第１通信処理部２３１及び第２通信処理部２３３の動作）を行ってもよい。上記プログラムは、処理部２３０の動作（第１通信処理部２３１及び第２通信処理部２３３の動作）をプロセッサに実行させるためのプログラムであってもよい。
【００７３】
＜４．３．端末装置の構成＞
次に、図５を参照して、第１の実施形態に係る端末装置４００の構成の例を説明する。図５は、第１の実施形態に係る端末装置４００の概略的な構成の例を示すブロック図である。図５を参照すると、端末装置４００は、第１無線通信部４１０、第２無線通信部４２０、記憶部４３０及び処理部４４０を備える。
【００７４】
（１）第１無線通信部４１０
第１無線通信部４１０は、信号を無線で送受信する。例えば、第１無線通信部４１０は、ＷＬＡＮ−ＡＰ３００からの信号を受信し、ＷＬＡＮ−ＡＰ３００への信号を送信する。
【００７５】
（２）第２無線通信部４２０
第２無線通信部４２０は、信号を無線で送受信する。例えば、第２無線通信部４２０は、基地局１００からの信号を受信し、基地局１００への信号を送信する。
【００７６】
（３）記憶部４３０
記憶部４３０は、端末装置４００の動作のためのプログラム及びパラメータ、並びに様々なデータを、一時的に又は恒久的に記憶する。
【００７７】
（４）処理部４４０
処理部４４０は、端末装置４００の様々な機能を提供する。処理部４４０は、第１通信処理部４４１、第２通信処理部４４３、及びデータ処理部４４５を含む。なお、処理部４４０は、これらの構成要素以外の他の構成要素をさらに含み得る。すなわち、処理部４４０は、これらの構成要素の動作以外の動作も行い得る。第１通信処理部４４１、第２通信処理部４４３及びデータ処理部４４５の具体的な動作は、後に詳細に説明する。
【００７８】
例えば、処理部４４０（第１通信処理部４４１）は、第１無線通信部４１０を介してＷＬＡＮ−ＡＰ３００経由でゲートウェイ２００（又は基地局１００）と通信する。また、例えば、処理部４４０（第２通信処理部４４３）は、基地局１００と通信する。
【００７９】
（５）実装例
第１無線通信部４１０及び第２無線通信部４２０の各々は、アンテナ及び高周波（ＲＦ）回路等により実装されてもよい。記憶部４３０は、メモリ（例えば、不揮発性メモリ及び／若しくは揮発性メモリ）並びに／又はハードディスク等により実装されてもよい。処理部４４０は、ベースバンド（ＢＢ）プロセッサ及び／又は他のプロセッサ等により実装されてもよい。第１通信処理部４４１、第２通信処理部４４３及びデータ処理部４４５は、同一のプロセッサにより実装されてもよく、別々に異なるプロセッサにより実装されてもよい。上記メモリ（記憶部４３０）は、このようなプロセッサ（チップ）内に含まれてもよい。
【００８０】
端末装置４００は、プログラムを記憶するメモリと、当該プログラムを実行可能な１つ以上のプロセッサとを含んでもよく、当該１つ以上のプロセッサは、処理部４４０の動作（第１通信処理部４４１、第２通信処理部４４３及びデータ処理部４４５の動作）を行ってもよい。上記プログラムは、処理部４４０の動作（第１通信処理部４４１、第２通信処理部４４３及びデータ処理部４４５の動作）をプロセッサに実行させるためのプログラムであってもよい。
【００８１】
＜４．４．制御エンティティの構成＞
次に、図６を参照して、第１の実施形態に係る制御エンティティ５００の構成の例を説明する。図６は、第１の実施形態に係る制御エンティティ５００の概略的な構成の例を示すブロック図である。図６を参照すると、制御エンティティ５００は、ネットワーク通信部５１０、記憶部５２０及び処理部５３０を備える。
【００８２】
（１）ネットワーク通信部５１０
ネットワーク通信部５１０は、ネットワークから信号を受信し、ネットワークへ信号を送信する。
【００８３】
（２）記憶部５２０
記憶部５２０は、制御エンティティ５００の動作のためのプログラム及びパラメータ、並びに様々なデータを、一時的に又は恒久的に記憶する。
【００８４】
（３）処理部５３０
処理部５３０は、制御エンティティ５００の様々な機能を提供する。処理部５３０は、第１通信処理部５３１及び第２通信処理部５３３を含む。なお、処理部５３０は、これらの構成要素以外の他の構成要素をさらに含み得る。すなわち、処理部５３０は、これらの構成要素の動作以外の動作も行い得る。第１通信処理部５３１及び第２通信処理部５３３の具体的な動作は、後に詳細に説明する。
【００８５】
例えば、処理部５３０は、ネットワーク通信部５１０を介して他のノードと通信する。具体的には、例えば、処理部５３０（第１通信処理部５３１）は、ネットワーク通信部５１０を介して基地局１００と通信する。また、例えば、処理部５３０（第２通信処理部５３３）は、ネットワーク通信部５１０を介して第１コアネットワークノード６００と通信する。
【００８６】
（４）実装例
ネットワーク通信部５１０は、ネットワークアダプタ又はネットワークインタフェースカード等により実装されてもよい。記憶部５２０は、メモリ（例えば、不揮発性メモリ及び／若しくは揮発性メモリ）並びに／又はハードディスク等により実装されてもよい。処理部５３０は、プロセッサ等により実装されてもよい。第１通信処理部５３１及び第２通信処理部５３３は、同一のプロセッサにより実装されてもよく、別々に異なるプロセッサにより実装されてもよい。上記メモリ（記憶部５２０）は、このようなプロセッサ（チップ）内に含まれてもよい。
【００８７】
制御エンティティ５００は、プログラムを記憶するメモリと、当該プログラムを実行可能な１つ以上のプロセッサとを含んでもよく、当該１つ以上のプロセッサは、処理部５３０の動作（第１通信処理部５３１及び第２通信処理部５３３の動作）を行ってもよい。上記プログラムは、処理部５３０の動作（第１通信処理部５３１及び第２通信処理部５３３の動作）をプロセッサに実行させるためのプログラムであってもよい。
【００８８】
＜４．５．第１コアネットワークノードの構成＞
次に、図７を参照して、第１の実施形態に係る第１コアネットワークノード６００の構成の例を説明する。図７は、第１の実施形態に係る第１コアネットワークノード６００の概略的な構成の例を示すブロック図である。図７を参照すると、第１コアネットワークノード６００は、ネットワーク通信部６１０、記憶部６２０及び処理部６３０を備える。
【００８９】
（１）ネットワーク通信部６１０
ネットワーク通信部６１０は、ネットワークから信号を受信し、ネットワークへ信号を送信する。
【００９０】
（２）記憶部６２０
記憶部６２０は、第１コアネットワークノード６００の動作のためのプログラム及びパラメータ、並びに様々なデータを、一時的に又は恒久的に記憶する。
【００９１】
（３）処理部６３０
処理部６３０は、第１コアネットワークノード６００の様々な機能を提供する。処理部６３０は、第１通信処理部６３１、第２通信処理部６３３及び登録処理部６３５を含む。なお、処理部６３０は、これらの構成要素以外の他の構成要素をさらに含み得る。すなわち、処理部６３０は、これらの構成要素の動作以外の動作も行い得る。第１通信処理部６３１、第２通信処理部６３３及び登録処理部６３５の具体的な動作は、後に詳細に説明する。
【００９２】
例えば、処理部６３０は、ネットワーク通信部６１０を介して他のノードと通信する。具体的には、例えば、処理部６３０（第１通信処理部６３１）は、ネットワーク通信部６１０を介して制御エンティティ５００と通信する。また、例えば、処理部６３０（第２通信処理部６３３）は、ネットワーク通信部６１０を介して第２コアネットワークノード７００と通信する。
【００９３】
（４）実装例
ネットワーク通信部６１０は、ネットワークアダプタ又はネットワークインタフェースカード等により実装されてもよい。記憶部６２０は、メモリ（例えば、不揮発性メモリ及び／若しくは揮発性メモリ）並びに／又はハードディスク等により実装されてもよい。処理部６３０は、プロセッサ等により実装されてもよい。第１通信処理部６３１、第２通信処理部６３３及び登録処理部６３５は、同一のプロセッサにより実装されてもよく、別々に異なるプロセッサにより実装されてもよい。上記メモリ（記憶部６２０）は、このようなプロセッサ（チップ）内に含まれてもよい。
【００９４】
第１コアネットワークノード６００は、プログラムを記憶するメモリと、当該プログラムを実行可能な１つ以上のプロセッサとを含んでもよく、当該１つ以上のプロセッサは、処理部６３０の動作（第１通信処理部６３１、第２通信処理部６３３及び登録処理部６３５の動作）を行ってもよい。上記プログラムは、処理部６３０の動作（第１通信処理部６３１、第２通信処理部６３３及び登録処理部６３５の動作）をプロセッサに実行させるためのプログラムであってもよい。
【００９５】
＜４．６．技術的特徴＞
次に、図８及び図９を参照して、第１の実施形態の技術的特徴を説明する。
【００９６】
（１）送信エリアの登録
−基地局
基地局１００（情報取得部１４１）は、無線ローカルエリアネットワークをマルチキャストデータ又はブロードキャストデータの送信エリアに登録するための登録用情報を取得する。そして、基地局１００（第１通信処理部１４３）は、上記登録用情報を制御エンティティ５００に送信する。基地局１００は、制御エンティティ５００から送信された「ＭＢＭＳ  ＳＥＳＳＩＯＮ  ＵＰＤＡＴＥ  ＲＥＱＵＥＳＴ」メッセージの応答メッセージとして、上記登録用情報を含むＭＢＭＳ  ＳＥＳＳＩＯＮ  ＵＰＤＡＴＥ  ＲＥＳＰＯＮＳＥメッセージを制御エンティティ５００へ送信してもよい。また、基地局１００は、上記登録用情報を含む「Ｍ２  ＳＥＴＵＰ  ＲＥＱＵＥＳＴやｅＮＢ  ＭＢＭＳ  Ｃｏｎｆｉｇｕｒａｔｉｏｎ  ｄａｔａ  Ｉｔｅｍ」メッセージを制御エンティティ５００へ送信してもよい。さらに、基地局１００は、マルチキャストデータ又はブロードキャストデータの送信範囲に加える（Join）ことができるセルを選択して、登録用情報として制御エンティティ５００へ送信してもよい。
【００９７】
−制御エンティティ
制御エンティティ５００（第１通信処理部５３１）は、基地局１００から、上記登録用情報を受信する。そして、制御エンティティ５００（第２通信処理部５３３）は、上記登録用情報を、コアネットワークノード（第１コアネットワークノード６００）に送信する。また、制御エンティティ５００（記憶部５２０）は、上記登録用情報を記憶する。
【００９８】
−第１コアネットワークノード
第１コアネットワークノード６００（第１通信処理部６３１）は、上記登録用情報を受信する。そして、第１コアネットワークノード６００（登録処理部６３５）は、上記登録用情報に基づいて、無線ローカルエリアネットワークを、マルチキャストデータ又はブロードキャストデータの送信エリアに登録する。すなわち、第１コアネットワークノード６００（記憶部６２０）は、上記登録用情報を記憶する。また、第１コアネットワークノード６００（第２通信処理部６３３）は、無線ローカルエリアネットワークが送信エリアに登録されたことを示す情報を、第２コアネットワークノード７００に送信する。ここで、無線ローカルエリアネットワークが送信エリアに登録されたことを示す情報は、例えば無線アクセスネットワークのＩＰアドレス、基地局１００の識別子などである。
【００９９】
−マルチキャストデータ、ブロードキャストデータ
マルチキャストデータ又はブロードキャストデータは、ＥＴＷＳ（Earthquake and Tsunami Warning System）、ＭＢＭＳ（Multimedia Broadcast Multicast Services）又はｅＭＢＭＳ（evolved Multimedia Broadcast Multicast Service）のデータを含む。
【０１００】
−登録用情報
上記登録用情報は、無線ローカルエリアネットワークをマルチキャストデータ又はブロードキャストデータの送信エリアに登録するため、例えば、無線ローカルエリアネットワークの識別子を含む。具体的に、無線ローカルエリアネットワークの識別子は、アクセスポイント又はアクセスコントローラの識別子を含み、例えばＳＳＩＤ（Service Set Identifier）、ＢＳＳＩＤ（Basic Service Set Identifier）、又はＥＳＳＩＤ（Extended Service Set Identifier））である。また、アクセスポイント又はアクセスコントローラの識別子は、ＭＡＣ（Medium Access Control）アドレスであってもよい。また、上記登録用情報は、基地局１００に無線ローカルエリアネットワーク（ゲートウェイ２００又はＷＬＡＮ−ＡＰ３００）が接続されていることを示す情報を含んでもよい。
【０１０１】
また、上記登録用情報は、無線ローカルエリアネットワークを、マルチキャストデータ又はブロードキャストデータに加えてｎｏｎ−ＭＢＭＳ  ｓｅｒｖｉｃｅｓ（例えばＵｎｉｃａｓｔ）のデータの送信エリアに登録するための情報であってもよい。これにより、無線ローカルエリアネットワーク経由でＭＢＭＳおよびＵｎｉｃａｓｔのデータ送信を共にサポートするセルが、無線ローカルエリアネットワーク経由で提供されることになる。
【０１０２】
（２）送信範囲の加入処理
第２コアネットワークノード７００は、第１コアネットワークノード６００から無線ローカルエリアネットワークが送信エリアに登録されたことを示す情報を受信すると、当該無線ローカルエリアネットワークを、マルチキャストデータ又はブロードキャストデータの送信範囲に加える（Join）ため、次のような処理を行う。
【０１０３】
具体的に、第２コアネットワークノード７００は、マルチキャストデータ又はブロードキャストデータの送信グループに、無線ローカルエリアネットワークを加える。そして、第２コアネットワークノード７００は、マルチキャストまたはブロードキャストのためのＩＰアドレス（例えばＩＰマルチキャストアドレス）を、第１コアネットワークノード６００に送信する。続いて、第１コアネットワークノード６００は、上記ＩＰアドレスを、制御エンティティ５００に送信する。続いて、制御エンティティ５００は、上記ＩＰアドレスを基地局１００に送信する。上記ＩＰアドレスを基地局１００が受信することにより、当該無線ローカルエリアネットワークが送信範囲に加わる（Join）こととなる。
【０１０４】
（３）マルチキャストデータまたはブロードキャストの送信
第２コアネットワークノード７００は、第３コアネットワークノード８００からマルチキャストデータまたはブロードキャストデータを受信し、上記ＩＰアドレスを送信元アドレスとして使用してマルチキャストデータ又はブロードキャストデータを基地局１００に送信する。
【０１０５】
（４）無線ローカルエリアネットワークへの転送処理
−基地局
基地局１００（第１通信処理部１４３）は、コアネットワーク（第２コアネットワークノード７００）から送信されるマルチキャストデータ又はブロードキャストデータを受信する。具体的に、基地局１００（第１通信処理部１４３）は、コアネットワーク側から送信されてきたデータの送信元アドレスが上記ＩＰアドレスであるかをチェックし、送信元アドレスが上記ＩＰアドレスであるデータ、すなわちマルチキャストデータ又はブロードキャストデータのみを受信し、その他のデータを破棄する。
【０１０６】
そして、基地局１００（第２通信処理部１４５）は、受信したマルチキャストデータ又はブロードキャストデータを無線ローカルエリアネットワーク（ゲートウェイ２００、ＷＬＡＮ−ＡＰ３００）経由で端末装置４００に送信する。
【０１０７】
−ゲートウェイ
ゲートウェイ２００（第１通信処理部２３１）は、コアネットワーク（第２コアネットワークノード７００）から基地局１００を介して送信されるマルチキャストデータ又はブロードキャストデータを受信する。そして、ゲートウェイ２００（第２通信処理部２３３）は、受信したマルチキャストデータ又はブロードキャストデータを無線ローカルエリアネットワーク（ＷＬＡＮ−ＡＰ３００）経由で端末装置４００に送信する。
【０１０８】
（５）制御情報の送信
基地局１００（第３通信処理部１４７）は、マルチキャストデータ又はブロードキャストデータの送信に関する制御情報を、Ｕｕインタフェースを用いて端末装置４００に直接送信する。ここで、制御情報とは、例えば無線ローカルエリアネットワーク経由で端末装置４００にマルチキャストデータ又はブロードキャストデータが送信されるタイミング、マルチキャストデータ又はブロードキャストデータの送信に用いられる無線ローカルエリアネットワークのチャンネル（ＷＬＡＮのチャンネル）などである。
【０１０９】
（６）端末装置による受信処理
端末装置４００（第１通信処理部４４１）は、コアネットワークから送信されるマルチキャストデータ又はブロードキャストデータを無線ローカルエリアネットワーク（ゲートウェイ２００、ＷＬＡＮ−ＡＰ３００）経由で受信する。
【０１１０】
具体的に、端末装置４００（第１通信処理部４４１）は、基地局１００から受信した制御情報を利用して、すなわち、制御情報が示すタイミング、チャンネルなどに従って、マルチキャストデータ又はブロードキャストデータを受信する。なお、端末装置４００は、上記制御情報を利用する場合に限らず、例えば、マルチキャストサービス又はブロードキャストサービスのためのアプリケーションプログラムを実行し、定期的に（例えば１００ｍｓｅｃごとに）無線ローカルエリアネットワーク側にアクセスしてマルチキャストデータ又はブロードキャストデータを受信してもよい。
【０１１１】
そして、端末装置４００（データ処理部４４５）は、マルチキャストデータ又はブロードキャストデータについての処理を実行する。
【０１１２】
具体的に、端末装置４００（データ処理部４４５）は、マルチキャストデータ又はブロードキャストデータが、当該端末装置４００の対象データであるかチェックする。あるいは、端末装置４００（データ処理部４４５）は、マルチキャストサービス又はブロードキャストサービスのためのアプリケーションプログラムを実行して、マルチキャストデータ又はブロードキャストデータの再生（動画再生、メッセージ表示など）を行う。上記マルチキャストサービス又はブロードキャストサービスは、当該端末装置４００が受信したマルチキャストデータ又はブロードキャストデータに対応するものであってもよい。
【０１１３】
（７）処理の流れ
図８を参照して、第１の実施形態に係る処理の例として、ＭＢＭＳのデータを送信する処理を説明する。図８は、第１の実施形態に係る処理の概略的な流れの例を説明するためのブロック図である。
【０１１４】
処理の前提として、ＭＢＭＳのデータには、第２コアネットワークノード７００（ＭＢＭＳ−ＧＷ）と第３コアネットワークノード８００（ＢＭ−ＳＣ）とが協働して、マルチキャスト又はブロードキャストのためのＩＰアドレス（ＩＰマルチキャストアドレス）が割り当てられている。また、無線ローカルエリアネットワークは、マルチキャスト又はブロードキャストの送信範囲（ＭＢＳＦＮエリア）に加入する（Join）処理が行われており、基地局１００（ｅＮＢ）は、第２コアネットワークノード７００（ＭＢＭＳ−ＧＷ）から、第１コアネットワークノード６００（ＭＭＥ）及び制御エンティティ５００（ＭＣＥ）を介して上記ＩＰアドレス（ＩＰマルチキャストアドレス）を取得している。
【０１１５】
まず、第３コアネットワークノード８００（ＢＭ−ＳＣ）は、マルチキャストデータ又はブロードキャストデータ（ＭＢＭＳのデータ）を第２コアネットワークノード７００（ＭＢＭＳ−ＧＷ）に送信する。
【０１１６】
続いて、第２コアネットワークノード７００（ＭＢＭＳ−ＧＷ）は、第３コアネットワークノード８００（ＢＭ−ＳＣ）から受信したマルチキャストデータ又はブロードキャストデータ（ＭＢＭＳのデータ）を基地局１００（ｅＮＢ）に送信する。
【０１１７】
続いて、基地局１００（ｅＮＢ）は、制御エンティティ５００（ＭＣＥ）から受信したＩＰアドレス（ＩＰマルチキャストアドレス）に基づいて、第２コアネットワークノード７００（ＭＢＭＳ−ＧＷ）から送信されるマルチキャストデータ又はブロードキャストデータ（ＭＢＭＳのデータ）を受信する。
【０１１８】
具体的に、基地局１００（ｅＮＢ）は、第２コアネットワークノード７００（ＭＢＭＳ−ＧＷ）から送信されるデータの送信元アドレスが、無線ローカルエリアネットワークが送信エリアに登録されたサービスに対応付けられているＩＰアドレス（ＩＰマルチキャスト）であるかを判断（チェック）する。そして、基地局１００（ｅＮＢ）は、送信元アドレスが当該ＩＰアドレスであるデータ、すなわち第２コアネットワークノード７００（ＭＢＭＳ−ＧＷ）から送信されるマルチキャストデータ又はブロードキャストデータ（ＭＢＭＳのデータ）を受信し、受信したマルチキャストデータ又はブロードキャストデータ（ＭＢＭＳのデータ）を、無線ローカルエリアネットワーク経由の通信に用いられるゲートウェイ２００（ＬＷＩＰ−ＳｅＧＷ）に送信する。
【０１１９】
続いて、ゲートウェイ２００（ＬＷＩＰ−ＳｅＧＷ）は、基地局１００（ｅＮＢ）から受信したマルチキャストデータ又はブロードキャストデータ（ＭＢＭＳのデータ）を、ＷＬＡＮ−ＡＰ３００を介して端末装置４００（ＵＥ）に送信する。
【０１２０】
続いて、端末装置４００（ＵＥ）は、コアネットワークから送信されるマルチキャストデータ又はブロードキャストデータ（ＭＢＭＳのデータ）をＷＬＡＮ−ＡＰ３００から受信する。そして、端末装置４００（ＵＥ）は、マルチキャストデータ又はブロードキャストデータ（ＭＢＭＳのデータ）についての処理を実行する。
【０１２１】
＜４．７．変形例＞
次に、第１の実施形態の変形例を説明する。
【０１２２】
まず、第２コアネットワークノードから送信されるマルチキャストデータ又はブロードキャストデータは、必ずしも図８に示すような基地局１００を介して送信する場合に限らない。
【０１２３】
例えば、図９は、第１の実施形態の変形例に係る処理の概略的な流れの例を説明するためのブロック図である。図９に示すように、第２コアネットワークノード７００（ＭＢＭＳ−ＧＷ）は、マルチキャストデータ又はブロードキャストデータ（ＭＢＭＳのデータ）を、基地局１００を経由せずに、ゲートウェイ２００（ＬＷＩＰ−ＳｅＧＷ）に直接送信してもよい。図９に示す処理では、ゲートウェイ２００は次のような処理を行う。
【０１２４】
すなわち、ゲートウェイ２００（第１通信処理部２３１）は、コアネットワーク（第２コアネットワークノード７００）から送信されるマルチキャストデータ又はブロードキャストデータを受信する。具体的に、ゲートウェイ２００（第１通信処理部２３１）は、予め基地局１００からマルチキャスト又はブロードキャストのためのＩＰアドレスを取得する。そして、ゲートウェイ２００（第１通信処理部２３１）は、コアネットワーク側から送信されてきたデータの送信元アドレスが上記ＩＰアドレスであるかをチェックし、送信元アドレスが上記ＩＰアドレスであるデータ、すなわちマルチキャストデータ又はブロードキャストデータのみを受信し、その他のデータを破棄する。そして、ゲートウェイ２００（第２通信処理部２３３）は、受信したマルチキャストデータ又はブロードキャストデータを無線ローカルエリアネットワーク（ＷＬＡＮ−ＡＰ３００）経由で端末装置４００に送信する。
【０１２５】
また、マルチキャストデータ又はブロードキャストデータは、図８及び図９に示したように、無線ローカルエリアネットワークのみを経由して端末装置４００（ＵＥ）に送信される場合に限らない。
【０１２６】
例えば、図８に示すネットワーク構成において、基地局１００（ｅＮＢ）は、マルチキャストデータ又はブロードキャストデータ（ＭＢＭＳのデータ）を、無線ローカルエリアネットワーク経由、及びＵｕインタフェース経由の合計２ルートにスプリットして、端末装置４００（ＵＥ）に送信するようにしてよい。
【０１２７】
＜４．８．まとめ＞
以上、第１の実施形態を説明した。第１の実施形態によれば、基地局１００から制御エンティティ５００を介して第１コアネットワークノード６００に登録用情報を送信することにより、無線ローカルエリアネットワークを、マルチキャストデータ又はブロードキャストデータの送信エリアに登録することができる。これにより、第１の実施形態によれば、今までＵｕインタフェースのみを用いて提供していたマルチキャストサービス又はブロードキャストを、無線ローカルエリアネットワークで提供することが可能となる。
【０１２８】
また、第１の実施形態によれば、コアネットワークからのマルチキャストデータ又はブロードキャストデータを無線ローカルエリアネットワーク経由で端末装置４００に送信する。これにより、例えば基地局１００の処理負荷を軽減したり、任意のマルチキャストサービス（例えばＩＰマルチキャストアドレス）については無線ローカルエリアを経由したりするなど、より柔軟に、コアネットワークからのマルチキャストデータ又はブロードキャストデータを端末装置４００に送信することができる。
【０１２９】
ところで、マルチキャストデータ又はブロードキャストデータをＵｕインタフェースにより送信する場合には、送信エリア（セル、基地局）同士で高精度な同期をとりながらデータを送信する必要がある。このため、例えば、第２コアネットワークノード（ＭＢＭＳ−ＧＷ）は、送信グループ（セル、基地局）の中から最も遅延時間が長い送信エリアを特定して、特定した送信エリアに合わせて同期用のタイムスタンプを設定する必要がある。
【０１３０】
一方、第１の実施形態によれば、例えば、無線ローカルエリアネットワークを屋内、特定のスポットなどに限定することにより、マルチキャストデータ又はブロードキャストデータの送信エリアを当該無線ローカルエリアネットワークのエリアに在圏する端末装置（ユーザ）に限定することができる。これにより、第１の実施形態によれば、無線ローカルエリアネットワークの送信エリアと他の送信エリア（セル）との間で上述したような高精度な同期処理が不要となる。つまり、第１の実施形態によれば、例えば第２コアネットワークノード（ＭＢＭＳ−ＧＷ）が、無線ローカルエリアネットワークの送信エリアを考慮せずに上記タイムスタンプを設定することができる。
【０１３１】
＜＜５．第２の実施形態＞＞
続いて、図１０及び図１１を参照して、本発明の第２の実施形態を説明する。上述した第１の実施形態は、具体的な実施形態であるが、第２の実施形態は、より一般化された実施形態である。
【０１３２】
＜５．１．無線アクセスネットワークノードの構成＞
まず、図１０を参照して、第２の実施形態に係る無線アクセスネットワークノード９００の構成の例を説明する。図１０は、第２の実施形態に係る無線アクセスネットワークノード９００の概略的な構成の例を示すブロック図である。図１０を参照すると、無線アクセスネットワークノード９００は、第１通信処理部９１１及び第２通信処理部９１３を備える。
【０１３３】
第１通信処理部９１１及び第２通信処理部９１３の具体的な動作は、後に説明する。
【０１３４】
第１通信処理部９１１及び第２通信処理部９１３は、ベースバンド（ＢＢ）プロセッサ及び／又は他のプロセッサ等により実装されてもよい。第１通信処理部９１１及び第２通信処理部９１３は、同一のプロセッサにより実装されてもよく、別々に異なるプロセッサにより実装されてもよい。
【０１３５】
無線アクセスネットワークノード９００は、プログラムを記憶するメモリと、当該プログラムを実行可能な１つ以上のプロセッサとを含んでもよく、当該１つ以上のプロセッサは、第１通信処理部９１１及び第２通信処理部９１３の動作を行ってもよい。上記プログラムは、第１通信処理部９１１及び第２通信処理部９１３の動作をプロセッサに実行させるためのプログラムであってもよい。
【０１３６】
＜５．２．端末装置の構成＞
まず、図１１を参照して、第２の実施形態に係る端末装置４００の構成の例を説明する。図１１は、第２の実施形態に係る端末装置４００の概略的な構成の例を示すブロック図である。図１１を参照すると、端末装置４００は、通信処理部４５１及びデータ処理部４５３を備える。
【０１３７】
通信処理部４５１及びデータ処理部４５３の具体的な動作は、後に説明する。
【０１３８】
通信処理部４５１及びデータ処理部４５３は、プロセッサ等により実装されてもよい。通信処理部４５１及びデータ処理部４５３は、同一のプロセッサにより実装されてもよく、別々に異なるプロセッサにより実装されてもよい。
【０１３９】
端末装置４００は、プログラムを記憶するメモリと、当該プログラムを実行可能な１つ以上のプロセッサとを含んでもよく、当該１つ以上のプロセッサは、通信処理部４５１及びデータ処理部４５３の動作を行ってもよい。上記プログラムは、通信処理部４５１及びデータ処理部４５３の動作をプロセッサに実行させるためのプログラムであってもよい。
【０１４０】
＜５．３．技術的特徴＞
次に、第２の実施形態の技術的特徴を説明する。
【０１４１】
第２の実施形態では、無線アクセスネットワークノード９００（第１通信処理部９１１）は、コアネットワークから送信されるマルチキャストデータ又はブロードキャストデータを受信する。そして、無線アクセスネットワークノード９００（第２通信処理部９１３）は、マルチキャストデータ又はブロードキャストデータを無線ローカルエリアネットワーク経由で端末装置４００に送信する
【０１４２】
一方、端末装置４００（通信処理部４５１）は、コアネットワークから送信されるマルチキャストデータ又はブロードキャストデータを無線ローカルエリアネットワーク経由で受信する。そして、端末装置４００（データ処理部４５３）は、マルチキャストデータ又はブロードキャストデータについての処理を実行する。
【０１４３】
マルチキャストデータ及びブロードキャストの送受信、及びその処理の流れについての説明は、例えば、一部の符号の相違を除き、第１の実施形態におけるこれらについての説明と同じである。よって、ここでは重複する説明を省略する。
【０１４４】
以上、第２の実施形態を説明した。第２の実施形態によれば、例えば、より柔軟に、コアネットワークからのマルチキャストデータ又はブロードキャストデータを端末装置４００に送信することができる。
【０１４５】
＜＜６．他の形態＞＞
以上、本発明の実施形態を説明したが、本発明はこれらの実施形態に限定されるものではない。これらの実施形態は例示にすぎないということ、及び、本発明のスコープ及び精神から逸脱することなく様々な変形が可能であるということは、当業者に理解されるであろう。
【０１４６】
また、本明細書において説明した無線アクセスネットワークノードの構成要素（例えば、第１通信処理部、及び／又は第２通信処理部）を備える装置（例えば、無線アクセスネットワークノードを構成する複数の装置（又はユニット）のうちの１つ以上の装置（又はユニット）、又は上記複数の装置（又はユニット）のうちの１つのためのモジュール）が提供されてもよい。本明細書において説明した端末装置の構成要素（例えば、通信処理部及び／又はチェック処理部）を備える装置（例えば、端末装置のためのモジュール）が提供されてもよい。また、上記構成要素の処理を含む方法が提供されてもよく、上記構成要素の処理をプロセッサに実行させるためのプログラムが提供されてもよい。また、当該プログラムを記録したコンピュータに読み取り可能な非一時的記録媒体（Non-transitory computer readable medium）が提供されてもよい。当然ながら、このような装置、方法、プログラム、及びコンピュータに読み取り可能な非一時的記録媒体も本発明に含まれる。
【０１４７】
上記実施形態の一部又は全部は、以下の付記のようにも記載され得るが、以下には限られない。
【０１４８】
（付記１）
無線アクセスネットワークノードであって、
コアネットワークから送信されるマルチキャストデータ又はブロードキャストデータを受信する第１通信処理部と、
前記マルチキャストデータ又は前記ブロードキャストデータを無線ローカルエリアネットワーク経由で端末装置に送信する第２通信処理部と、
を備える無線アクセスネットワークノード。
【０１４９】
（付記２）
当該無線アクセスネットワークノードは基地局である、付記１記載の無線アクセスネットワークノード。
【０１５０】
（付記３）
前記基地局はｅＮＢ（evolved Node B）である、付記２記載の無線アクセスネットワークノード。
【０１５１】
（付記４）
前記マルチキャストデータ又は前記ブロードキャストデータの送信に関する制御情報を、前記端末装置に送信する第３通信処理部を更に備える、付記２又は３のうちいずれか１項記載の無線アクセスネットワークノード。
【０１５２】
（付記５）
当該無線アクセスネットワークノードは、前記無線ローカルエリアネットワーク経由での通信に用いられるゲートウェイである、付記１記載の無線アクセスネットワークノード。
【０１５３】
（付記６）
前記ゲートウェイはセキュリティゲートウェイである、付記５記載の無線アクセスネットワークノード。
【０１５４】
（付記７）
前記セキュリティゲートウェイは、ＬＷＩＰ−ＳｅＧＷ（LTE/WLAN Radio Level Integration with IPsec Tunnel-Security Gateway）である、付記６記載の無線アクセスネットワークノード。
【０１５５】
（付記８）
前記ゲートウェイはＷＴ（WLAN Termination）である、付記５記載の無線アクセスネットワークノード。
【０１５６】
（付記９）
前記無線ローカルエリアネットワークを前記マルチキャストデータ又は前記ブロードキャストデータの送信エリアに登録するための登録用情報を取得する情報取得部を、更に備え、
前記第１通信処理部は前記登録用情報を制御エンティティに送信する、付記２乃至４のうちいずれか１項記載の無線アクセスネットワークノード。
【０１５７】
（付記１０）
前記登録用情報は、前記無線ローカルエリアネットワークの識別子を含む、付記９記載の無線アクセスネットワークノード。
【０１５８】
（付記１１）
前記無線ローカルエリアネットワークの前記識別子は、前記無線ローカルエリアネットワークのアクセスポイント又はアクセスコントローラの識別子を含む、付記１０記載の無線アクセスネットワークノード。
【０１５９】
（付記１２）
前記アクセスポイント又は前記アクセスコントローラの前記識別子は、ＳＳＩＤ（Service Set Identifier）、ＢＳＳＩＤ（Basic service set identifier）、又はＥＳＳＩＤ（Extended service set Identifier））である、付記１１記載の無線アクセスネットワークノード。
【０１６０】
（付記１３）
前記アクセスポイント又は前記アクセスコントローラの前記識別子は、ＭＡＣ（Medium Access Control）アドレスである、付記１１記載の無線アクセスネットワークノード。
【０１６１】
（付記１４）
前記登録用情報は、前記基地局に前記無線ローカルエリアネットワークが接続されていることを示す情報を含む、付記９記載の無線アクセスネットワークノード。
【０１６２】
（付記１５）
前記制御エンティティはＭＣＥ（Multicast Coordination Entity）である、付記９乃至１４のうちいずれか１項記載の無線アクセスネットワークノード。
【０１６３】
（付記１６）
前記マルチキャストデータ又は前記ブロードキャストデータは、ＥＴＷＳ（Earthquake and Tsunami Warning System）、ＭＢＭＳ（Multimedia Broadcast Multicast Services）又はｅＭＢＭＳ（evolved Multimedia Broadcast Multicast Service）のデータを含む、付記１乃至１５のうちいずれか１項記載の無線アクセスネットワークノード。
【０１６４】
（付記１７）
端末装置であって、
コアネットワークから送信されるマルチキャストデータ又はブロードキャストデータを無線ローカルエリアネットワーク経由で受信する通信処理部と、
前記マルチキャストデータ又は前記ブロードキャストデータについての処理を実行するデータ処理部と、
を備える端末装置。
【０１６５】
（付記１８）
前記データ処理部は、前記受信したマルチキャストデータ又はブロードキャストデータが、当該端末装置の対象であるかをチェックする、付記１７記載の端末装置。
【０１６６】
（付記１９）
前記データ処理部は、前記受信したマルチキャストデータ又はブロードキャストデータに対応するマルチキャストサービス又はブロードキャストサービスのアプリケーションプログラムを実行する、付記１７記載の端末装置。
【０１６７】
（付記２０）
制御エンティティであって、
無線ローカルエリアネットワークをマルチキャストデータ又はブロードキャストデータの送信エリアに登録するための登録用情報を、基地局から受信する第１通信処理部と、
前記登録用情報をコアネットワークノードに送信する第２通信処理部と、
を備える制御エンティティ。
【０１６８】
（付記２１）
当該制御エンティティはＭＣＥ（Multicast Coordination Entity）であり、
前記基地局はｅＮＢであり、
前記コアネットワークノードはＭＭＥ（Mobility Management Entity）である、付記２０記載の制御エンティティ。
【０１６９】
（付記２２）
コアネットワークノードであって、
無線ローカルエリアネットワークをマルチキャストデータ又はブロードキャストデータの送信エリアに登録するための登録用情報を受信する第１通信処理部と、
前記登録用情報に基づいて、前記無線ローカルエリアネットワークを、前記マルチキャストデータ又は前記ブロードキャストデータの前記送信エリアに登録する登録処理部と、
を備えるコアネットワークノード。
【０１７０】
（付記２３）
前記無線ローカルエリアネットワークが前記マルチキャストデータ又は前記ブロードキャストデータの送信エリアに登録されたことを示す情報を、他のコアネットワークノードに送信する、付記２２記載のコアネットワークノード。
【０１７１】
（付記２４）
当該コアネットワークノードはＭＭＥ（Mobility Management Entity）であり、
前記他のコアネットワークノードはＭＢＭＳ−ＧＷ（Multimedia Broadcast Multicast Service-Serving Gateway）である、付記２３記載のコアネットワークノード。
【０１７２】
（付記２５）
コアネットワークから送信されるマルチキャストデータ又はブロードキャストデータを受信することと、
前記マルチキャストデータ又は前記ブロードキャストデータを無線ローカルエリアネットワーク経由で端末装置に送信することと、
を含む方法。
【０１７３】
（付記２６）
コアネットワークから送信されるマルチキャストデータ又はブロードキャストデータを受信することと、
前記マルチキャストデータ又は前記ブロードキャストデータを無線ローカルエリアネットワーク経由で端末装置に送信することと、
をプロセッサに実行させるためのプログラム。
【０１７４】
（付記２７）
コアネットワークから送信されるマルチキャストデータ又はブロードキャストデータを受信することと、
前記マルチキャストデータ又は前記ブロードキャストデータを無線ローカルエリアネットワーク経由で端末装置に送信することと、
をプロセッサに実行させるためのプログラムを記録したコンピュータに読み取り可能な非一時的記録媒体。
【０１７５】
（付記２８）
コアネットワークから送信されるマルチキャストデータ又はブロードキャストデータを無線ローカルエリアネットワーク経由で受信することと、
前記マルチキャストデータ又は前記ブロードキャストデータについての処理を実行することと、
を含む方法。
【０１７６】
（付記２９）
コアネットワークから送信されるマルチキャストデータ又はブロードキャストデータを無線ローカルエリアネットワーク経由で受信することと、
前記マルチキャストデータ又は前記ブロードキャストデータについての処理を実行することと、
をプロセッサに実行させるためのプログラム。
【０１７７】
（付記３０）
コアネットワークから送信されるマルチキャストデータ又はブロードキャストデータを無線ローカルエリアネットワーク経由で受信することと、
前記マルチキャストデータ又は前記ブロードキャストデータについての処理を実行することと、
をプロセッサに実行させるためのプログラムを記録したコンピュータに読み取り可能な非一時的記録媒体。
【０１７８】
（付記３１）
無線ローカルエリアネットワークをマルチキャストデータ又はブロードキャストデータの送信エリアに登録するための登録用情報を、基地局から受信することと、
前記登録用情報をコアネットワークノードに送信することと、
を含む方法。
【０１７９】
（付記３２）
無線ローカルエリアネットワークをマルチキャストデータ又はブロードキャストデータの送信エリアに登録するための登録用情報を、基地局から受信することと、
前記登録用情報をコアネットワークノードに送信することと、
をプロセッサに実行させるためのプログラム。
【０１８０】
（付記３３）
無線ローカルエリアネットワークをマルチキャストデータ又はブロードキャストデータの送信エリアに登録するための登録用情報を、基地局から受信することと、
前記登録用情報をコアネットワークノードに送信することと、
をプロセッサに実行させるためのプログラムをコンピュータに読み取り可能な非一時的記録媒体。
【０１８１】
（付記３４）
無線ローカルエリアネットワークをマルチキャストデータ又はブロードキャストデータの送信エリアに登録するための登録用情報を受信することと、
前記登録用情報に基づいて、前記無線ローカルエリアネットワークを、マルチキャストデータ又はブロードキャストデータの送信エリアに登録することと、
を含む方法。
【０１８２】
（付記３５）
無線ローカルエリアネットワークをマルチキャストデータ又はブロードキャストデータの送信エリアに登録するための登録用情報を受信することと、
前記登録用情報に基づいて、前記無線ローカルエリアネットワークを、マルチキャストデータ又はブロードキャストデータの送信エリアに登録することと、
をプロセッサに実行させるためのプログラム。
【０１８３】
（付記３６）
無線ローカルエリアネットワークをマルチキャストデータ又はブロードキャストデータの送信エリアに登録するための登録用情報を受信することと、
前記登録用情報に基づいて、前記無線ローカルエリアネットワークを、マルチキャストデータ又はブロードキャストデータの送信エリアに登録することと、
をプロセッサに実行させるためのプログラムをコンピュータに読み取り可能な非一時的記録媒体。
【０１８４】
（付記３７）
無線ローカルエリアネットワークをコアネットワークから送信されるマルチキャストデータ又はブロードキャストデータの送信エリアに登録するための登録用情報を取得する情報取得部と、
前記登録用情報を制御エンティティに送信する通信処理部と、
を備える、無線アクセスネットワークノード。
【０１８５】
（付記３８）
無線ローカルエリアネットワークをコアネットワークから送信されるマルチキャストデータ又はブロードキャストデータの送信エリアに登録するための登録用情報を取得することと、
前記登録用情報を制御エンティティに送信することと、
を含む方法。
【０１８６】
（付記３９）
無線ローカルエリアネットワークをコアネットワークから送信されるマルチキャストデータ又はブロードキャストデータの送信エリアに登録するための登録用情報を取得することと、
前記登録用情報を制御エンティティに送信することと、
をプロセッサに実行させるためのプログラム。
【０１８７】
（付記４０）
無線ローカルエリアネットワークをコアネットワークから送信されるマルチキャストデータ又はブロードキャストデータの送信エリアに登録するための登録用情報を取得することと、
前記登録用情報を制御エンティティに送信することと、
をプロセッサに実行させるためのプログラムをコンピュータに読み取り可能な非一時的記録媒体。
【０１８８】
この出願は、２０１６年１１月２９日に出願された日本出願特願２０１６−２３０９５２を基礎とする優先権を主張し、その開示の全てをここに取り込む。
【産業上の利用可能性】
【０１８９】
移動体通信システムにおいて、より柔軟に、コアネットワークからのマルチキャストデータ又はブロードキャストデータを端末装置に送信することができる。
【符号の説明】
【０１９０】
１              システム
１００          基地局
１４１  情報取得部
１４３、４４１、９１１  第１通信処理部
１４５、４４３、９１３  第２通信処理部
１４７          第３通信処理部
２００          ゲートウェイ
３００          ＷＬＡＮ−ＡＰ（Wireless  Local  Area  Network  Access  Point）
４００          端末装置
４５１          通信処理部
４４５、４５３  データ処理部
５００          制御エンティティ
６００          第１コアネットワークノード
７００          第２コアネットワークノード
８００          第３コアネットワークノード
９００          無線アクセスネットワークノード
【図１】
0006699756.tif 000002
【図２】
0006699756.tif 000003
【図３】
0006699756.tif 000004
【図４】
0006699756.tif 000005
【図５】
0006699756.tif 000006
【図６】
0006699756.tif 000007
【図７】
0006699756.tif 000008
【図８】
0006699756.tif 000009
【図９】
0006699756.tif 000010
【図１０】
0006699756.tif 000011
【図１１】
0006699756.tif 000012